(57)【要約】本発明によれば、受信された信号のキャリアと局部的に生成された信号との間の周波数差の評価を提供する方法が提供され、前記方法は、レイク受信器の第１および第２フィンガーの各々において、受信された信号と局部的に生成された信号との相関から得られた第１複素信号を、第１期間にわたって供給する段階と、受信された信号と局部的に生成された信号との相関から得られた第２複素信号を、第１期間から隔てられた第２期間にわたって供給する段階と、積信号を供給するために、第１信号と、第２信号の共役との積を決定する段階と、結合された信号を供給するために、第１および第２フィンガーからの積信号を結合する段階と、周波数エラーを評価するために、結合された信号を用いる段階と、評価された周波数エラーに基づいて、第１および第２期間の間の間隔を動的に調整する段階とを具備する。
2004515106.tif 000002
【特許請求の範囲】
【請求項１】
受信された信号のキャリアと局部的に生成された信号との間の周波数差の評価を提供する方法であって、
レイク受信器の第１および第２フィンガーの各々において、
受信された信号と局部的に生成された信号との相関から得られた第１複素信号を、第１期間にわたって供給する段階と、
受信された信号と局部的に生成された信号との相関から得られた第２複素信号を、第１期間から隔てられた第２期間にわたって供給する段階と、
積信号を供給するために、第１信号と、第２信号の共役との積を決定する段階と、
結合された信号を供給するために、第１および第２フィンガーからの積信号を結合する段階と、
周波数エラーを評価するために、結合された信号を用いる段階と、
評価された周波数エラーに基づいて、第１および第２期間の間の間隔を動的に調整する段階と
を具備することを特徴とする方法。
【請求項２】
前記評価された周波数エラーを、閾値と比較する段階と、
比較に基づいて、レイク受信器の動作モードを制御する段階と
をさらに具備することを特徴とする請求項１に記載の方法。
【請求項３】
フィルタリングされた信号を供給するために、連続的な周波数エラー評価を低域フィルタリングする段階と、
フィルタリングされた信号に基づいて、局部的に生成された信号を供給する発振器の動作周波数を制御する段階と
をさらに具備することを特徴とする請求項１または請求項２に記載の方法。
【請求項４】
発振信号を局部的に生成するための発振器と、
入力信号を受信するための入力と、
各々が互いと関連づけられた第１および第２フィンガーと、
第１および第２複素信号をそれぞれ供給すべく、第１および第２期間にわたって、入力信号を発振信号と相関させるように取り決められた第１相関器と、
積信号を供給するために、第１複素信号と、第２信号の共役とを乗算するように取り決められた乗算器と
を具備するレイク受信器であって、
前記レイク受信器は、
第１期間を第２期間から隔てさせるように取り決められたシーケンサーと、
結合された信号を供給するために、第１および第２フィンガーからの積信号を結合するように取り決められた結合器と、
結合された信号に基づいて、発振器の周波数エラーを評価するように取り決められた評価器と
をさらに具備し、
前記シーケンサーは、評価された周波数エラーに基づいて、第１および第２期間の間隔を動的に調整するように取り決められることを特徴とするレイク受信器。
【請求項５】
前記評価された周波数エラーを、閾値と比較するように取り決められた比較器と、
比較結果に基づいて、レイク受信器の動作モードを制御するように取り決められた制御器と
をさらに具備することを特徴とする請求項４に記載のレイク受信器。
【請求項６】
連続的な周波数エラー評価を低域フィルタリングするように、かつ、結果的に生じるフィルタリングされた信号を発振器の周波数制御入力に供給するように取り決められた低域フィルターをさらに具備することを特徴とする請求項４または請求項５に記載のレイク受信器。
【請求項７】
前記第１および第２フィンガーは、他方のコード生成器により生成されたコードとは異なるコードを生成するように取り決められたそれぞれのコード生成器を各々が含むことを特徴とする請求項４から請求項６のいずれかに記載のレイク受信器。
【発明の詳細な説明】
【０００１】
【発明の属する技術分野】
本発明は、受信された信号のキャリアと、該キャリアの局部的に生成された異形（ｖｅｒｓｉｏｎ）との間における周波数の差の評価を提供する方法に関する。本発明は、さらに、レイク受信器（ｒａｋｅ ｒｅｃｅｉｖｅｒ）に関する。
【０００２】
本発明は、レイク受信器内の自動周波数制御サブシステムにおける応用性を有する。
【０００３】
【課題を解決するための手段】
本発明の第１の特徴によれば、受信された信号のキャリアと局部的に生成された信号との間の周波数差の評価を提供する方法が提供され、前記方法は、レイク受信器の第１および第２フィンガーの各々において、受信された信号と局部的に生成された信号との相関から得られた第１複素信号を、第１期間にわたって供給する段階と、受信された信号と局部的に生成された信号との相関から得られた第２複素信号を、第１期間から隔てられた第２期間にわたって供給する段階と、積信号を供給するために、第１信号と、第２信号の共役との積を決定する段階と、結合された信号を供給するために、第１および第２フィンガーからの積信号を結合する段階と、周波数エラーを評価するために、結合された信号を用いる段階と、評価された周波数エラーに基づいて、第１および第２期間の間の間隔を動的に調整する段階とを具備する。
【０００４】
本発明の第２の特徴によれば、発振信号を局部的に生成するための発振器と、入力信号を受信するための入力と、各々が互いと関連づけられた第１および第２フィンガーと、第１および第２複素信号をそれぞれ供給すべく、第１および第２期間にわたって、入力信号を発振信号と相関させるように取り決められた第１相関器と、積信号を供給するために、第１複素信号と、第２信号の共役とを乗算するように取り決められた乗算器とを具備するレイク受信器が提供され、前記レイク受信器は、第１期間を第２期間から隔てさせるように取り決められたシーケンサーと、結合された信号を供給するために、第１および第２フィンガーからの積信号を結合するように取り決められた結合器と、結合された信号に基づいて、発振器の周波数エラーを評価するように取り決められた評価器とをさらに具備し、前記シーケンサーは、評価された周波数エラーに基づいて、第１および第２期間の間隔を動的に調整するように取り決められる。
【０００５】
本発明は、送信器とレイク受信器との間の伝播チャンネル（ｐｒｏｐａｇａｔｉｏｎ ｃｈａｎｎｅｌ）により提案される多様性の活用を可能にする。本発明は、フェード中の位相ステップの変化により生じる衝撃雑音（ｉｍｐｕｌｓｉｖｅ ｎｏｉｓｅ）に対する免疫性をさらに提供する。
【０００６】
【発明の実施の形態】
以下、本発明の実施形態について、添付図面を参照して説明する。
【０００７】
図１および図２は、本発明を実施するレイク受信器の一部を概略的に示す。
【０００８】
本発明が適用されるレイク受信器のフィンガー１０が、図１に示される。図１を参照すると、フィンガー１０は、概略的には、トラフィックチャンネル１１を形成する回路と、パイロットチャンネル１２を形成する回路とを具備する。トラフィックチャンネル回路１１内のミキサー１３は、概略的な遅延線１４から受け取られた入力信号を、スクランブリングコード生成器１５により供給されたコードと、かつ、第１ＯＶＳＦコード生成器１６により供給されたトラフィックチャンネル固有コードと混合する。結果的に生じる信号は、従来的な方法で、第１アキュムレータ１７と、先入れ先出し（ＦＩＦＯ）バッファ１８とに供給される。パイロットチャンネル回路１２において、入力信号は、第２ミキサー１９内で、スクランブリングコード生成器１５により供給されたコードと、かつ、第２ＯＶＳＦコード生成器２０により供給されたパイロットチャンネル固有コードと混合される。次に、この混合された信号は、リセットされる前に、パイロットチャンネルの１シンボル（ｓｙｍｂｏｌ）に等しい所定期間にわたって、第２アキュムレータ２１に蓄積される。第２アキュムレータ２１のリセット期間は、第１ＯＶＳＦコード生成器１６により供給されたＯＶＳＦコードのリセット期間と整列される。結果的に生じる複素信号（ｃｏｍｐｌｅｘ ｓｉｇｎａｌｓ）は、パイロットミキサー２８内で、パイロットパターン生成器により供給された複素信号の共役（ｃｏｎｊｕｇａｔｅ）と混合される。結果的に生じるパイロットパターンの混合複素信号は、第２遅延線２２に供給され、そこから、コヒーレント位相基準装置２４を経て複素乗算器２３へ供給される。複素乗算器２３は、トラフィックチャンネル１１およびパイロットチャンネル１２からの出力信号を乗算し、その結果は、レイク受信器の他のフィンガー（図示せず）からの信号とともに、コヒーレント結合器（ｃｏｍｂｉｎｅｒ）（図示せず）に供給される。
【０００９】
コード生成器１５，１６，２０は、互いにロックされたシンボルである。コード生成器１５はチップレート（ｃｈｉｐ ｒａｔｅ）で作動し、かつ、コード生成器１６はトラフィックチャンネルシンボルレートで作動し、かつ、コード生成器２０は、パイロットチャンネルシンボルレートで作動する。
【００１０】
第２遅延線２２内の位置Ｐ（ｎ）における複素値は、乗算器２５の第１入力に供給される。第２遅延線２２内の他の位置Ｐ（ｎ＋ｋ）における複素値の共役は共役計算装置２６により計算され、かつ、その結果は、乗算器２５の第２入力に供給される。乗算器２５は、自身が受け取った２つの複素数を乗算し、かつ、結果的に生じる複素数を出力２７において供給する。最初に、ｋの値は２に設定され、次に、位置Ｐ（ｎ）は、位置Ｐ（ｎ＋２）に続く２つのシンボルの蓄積結果に対応する。他の蓄積結果が第２アキュムレータ２１により供給される場合に、これが第２遅延線２２を通して供給され、次に、乗算器２５には第２遅延線２２内の後続位置からの信号が供給されるようなローリング（ｒｏｌｌｉｎｇ）方法で、第２遅延線２２は動作する。これにより、新たな複素数出力が全てのシンボルに供給される。
【００１１】
前記複素数出力は、位置Ｐ（ｎ）に対応するシンボルと位置Ｐ（ｎ＋ｋ）に対応するシンボルとの間で発生する位相回転のコヒーレント測定値である位相を有する複素ベクトルである。複素ベクトルの大きさは、これら２つのシンボルからの蓄積結果の平均パワーに比例する。
【００１２】
図２は、レイク受信器のフィンガー１０のさらなる部分を示し、同様の要素については、図１の参照番号をそのまま残している。フィンガー１０は、第１および第２結合器３０，３１をさらに具備し、該第１および第２結合器３０，３１は、第２および第３アキュムレータ３２，３３のそれぞれと、位相計算装置３４と、低域フィルター３５とに供給を行う。
【００１３】
複素乗算器２５の出力２７に供給された複素信号の実部は、第１結合器３０の第１入力に供給される。同信号の虚部は、第２結合器３１の第１入力に同様に供給される。これらの結合器３０，３１は、レイク受信器の他の全てのフィンガー（図示せず）から、対応する信号をさらに受け取る。各結合器３０，３１は、自身の入力における全ての信号をコヒーレントに（ｃｏｈｅｒｅｎｔｌｙ）合計し、かつ、その結果を自身のそれぞれのアキュムレータ３２，３３へ供給し、該アキュムレータ３２，３３は、コヒーレント・フィルタリングを供給する。次に、結合されかつ蓄積された信号の位相回転は位相計算装置３４により計算され、該位相計算装置３４は、位置Ｐ（ｎ），Ｐ（ｎ＋ｋ）のタイムセパレーション（ｔｉｍｅ ｓｅｐａｒａｔｉｏｎ）を考慮に入れた従来的な方法で動作する。複素信号の大きさは該複素信号の派生元である信号の強度に関連づけられるので、この取り決めは、フィンガーが受け取る信号のパワーにしたがってフィンガーが行う寄与に重みを与える。受信器の局部発振器（図示せず）の動作周波数（ｏｐｅｒａｔｉｎｇ ｆｒｅｑｕｅｎｃｙ）を受信キャリアの動作周波数（ｏｐｅｒａｔｉｎｇ ｆｒｅｑｕｅｎｃｙ）に役立つように制御するためにフィードバックされる前に、位相計算装置３４により計算された位相回転の角度は、低域フィルター３５によりフィルタリングされる。
【００１４】
いったん収束に到達すると、ｋの値は増加し、この結果、乗算器２５は、時間的にさらに間隔を置いた（例えば、６シンボル隔てた）蓄積結果に対応する信号を受信する。このことは、より正確な位相（したがって、周波数）エラー信号を計算することを可能にする。このことは、周波数エラー測定値におけるより微細な解像度（ｒｅｓｏｌｕｔｉｏｎ）を可能にする利点を有する。
【００１５】
本発明は、ソフト・ハンドオーバーのシナリオにおいて、様々な基地局と関連した信号からの周波数エラー評価を提供することにおいても利用される。レイク受信器内の様々なフィンガーは、様々な基地局の送信器から送信された入力信号を逆拡散（ｄｅｓｐｒｅａｄ）する。様々な基地局は様々なスクランブリングコードを有するので、様々なフィンガーには、様々なＯＶＳＦコードおよびスクランブリングコードが供給される。この場合に、第１および第２フィンガーは、他方のコード生成器により生成されたコードとは異なるコードを生成する（すなわち、一方のコードは一方の基地局からのパイロットチャンネルコードに対応し、かつ、他方のコードは他の基地局からのパイロットチャンネルコードに対応する）ように取り決められたそれぞれのコード生成器を各々が含む。結果的に生じる周波数エラー評価は、局部周波数の基準（局部発振器）と、ソフト・ハンドオーバーに携わる基地局の送信器のキャリアの平均周波数との差である。周波数エラー評価に寄与する信号は、それらの信号強度にしたがって重み付けされる。
【００１６】
２つのフィンガーのみからの信号の結合について説明しているが、本発明がレイク受信器の全てのまたは殆どのフィンガーからの信号を結合するために用いられることが予想される（例えば、ＵＭＴＳ無線電話のレイク受信器に対しては、６つまたは８つのフィンガーであり得る）。
【００１７】
本発明については、例えば、ソフトウェアの形で、特定用途向け集積回路（ＡＳＩＣ）の形で、または、フィールド・プログラマブル・ゲート・アレイ（ＦＰＧＡ）の形で実施することができる。
【図面の簡単な説明】
【図１】本発明を実施するレイク受信器の一部を概略的に示す図である。
【図２】本発明を実施するレイク受信器の一部を概略的に示す図である。
【符号の説明】
１０　フィンガー
１１　トラフィックチャンネル回路
１２　パイロットチャンネル回路
１３，１９　ミキサー
１４，２２　遅延線
１５　スクランブリングコード生成器
１６，２０　ＯＶＳＦコード生成器
１７，２１　アキュムレータ
１８　先入れ先出し（ＦＩＦＯ）バッファ
２３，２５　複素乗算器
２４　位相基準装置
２６　共役計算装置
２８　パイロットミキサー
３０，３１　結合器
３２，３３　アキュムレータ
３４　位相計算装置
３５　低域フィルター
【図１】
2004515106.tif 000003
【図２】
2004515106.tif 000004
【国際公開パンフレット】
2004515106.tif 000005
2004515106.tif 000006
2004515106.tif 000007
2004515106.tif 000008
2004515106.tif 000009
2004515106.tif 000010
2004515106.tif 000011
2004515106.tif 000012
2004515106.tif 000013
2004515106.tif 000014
【国際調査報告】
2004515106.tif 000015
2004515106.tif 000016